(57)【要約】【課題】従来の構成と比べてコンベヤチェーンの直線姿勢の精度を高め、コンベヤ組立前の段階でコンベヤチェーン自体でノーバックベンドの作用の可否を確認し、従来の構成と比べてノーバックベンドで許容される荷重である耐荷重を高めるとともに、コンベヤチェーンが捩れることを防止するコンベヤチェーンを提供すること。【解決手段】コンベヤチェーン１００の直線姿勢に変化したとき、内リンクプレート１１０のチェーン長手方向両隣でそれぞれ連結する外リンクプレート１２０の屈曲規制当接部１２２が、この内リンクプレート１１０のチェーン長手方向一端側の連結ピン１４０と他端側の連結ピン１４０とを結ぶ基準線Ｎよりチェーン外周側で屈曲規制プレート１１２に対してチェーン長手方向両側から当接することを特徴とするコンベヤチェーン１００。【選択図】図２
2014189404.tif 000002
【特許請求の範囲】
【請求項１】
搬送方向に対する幅方向に離間配置した左右一対の内リンクプレートと、該内リンクプレートのブシュ孔にブシュ端部側を圧入するブシュと、前記左右一対の内リンクプレートの両外側にそれぞれ配設する左右一対の外リンクプレートと、前記ブシュに回転自在に挿通して外リンクプレートのピン孔にピン端部側を圧入する連結ピンとを備え、前記内リンクプレートと外リンクプレートとを連結ピンでチェーン長手方向に多数連結してなり搬送物を搬送方向へ搬送するコンベヤチェーンにおいて、
前記左右一対の内リンクプレートの前記両外側に配置され内リンクプレートと一体に取り付けられた屈曲規制プレートが、前記チェーン長手方向に延び、前記外リンクプレートのチェーン長手方向両端に配設された屈曲規制当接部が、前記屈曲規制プレートと当接自在に設けられ、
前記コンベヤチェーンの直線姿勢に変化したとき、前記内リンクプレートのチェーン長手方向両隣でそれぞれ連結する外リンクプレートの屈曲規制当接部が、該内リンクプレートのチェーン長手方向一端側の連結ピンと他端側の連結ピンとを結ぶ基準線よりチェーン外周側で屈曲規制プレートに対してチェーン長手方向両側から当接し、
前記コンベヤチェーンの屈曲姿勢に変化する際、前記内リンクプレートのチェーン長手方向両隣でそれぞれ連結する外リンクプレートの屈曲規制当接部が、前記チェーン外周側へ揺動して前記基準線よりチェーン外周側で屈曲規制プレートに対してチェーン長手方向にも離間する構成であることを特徴とするコンベヤチェーン。
【請求項２】
前記左右一対の内リンクプレートの前記両外側に配設された屈曲規制プレートの少なくとも左右一方が、取付穴を有して搬送物を載置する搬送用部材を取付自在に構成されていることを特徴とする請求項１に記載のコンベヤチェーン。
【請求項３】
前記コンベヤチェーンの直線姿勢のとき、前記屈曲規制当接部が、前記屈曲規制プレートと面接触し、前記屈曲規制当接部と屈曲規制プレートとの接触面が、前記チェーン長手方向を向いていることを特徴とする請求項１または請求項２に記載のコンベヤチェーン。
【発明の詳細な説明】
【技術分野】
【０００１】
本発明は、直線姿勢から一方側のみに屈曲して屈曲姿勢となるコンベヤチェーンに関する。
【背景技術】
【０００２】
従来、直線姿勢から一方側のみに屈曲して屈曲姿勢となる所謂、ノーバックベンドチェーンが知られている（例えば、特許文献１乃至３参照）。
このような従来のノーバックベンドチェーンとして、例えば、図６（Ａ）および図６（Ｂ）に示すようなノーバックベンド機構を有したコンベヤチェーン７００がある。
ここで、図６（Ａ）は、従来技術のコンベヤチェーン７００を示す平面図であり、図６（Ｂ）は、図６（Ａ）に示す符号６Ｂから視た側面図である。
なお、図６（Ａ）および図６（Ｂ）に示すのは、コンベヤの左右両側に用いられるうちの一方のコンベヤチェーン７００である。
【０００３】
従来のコンベヤチェーン７００は、内リンクプレート７１０と、外リンクプレート７２０と、図示しないブシュと、連結ピン７４０と、ローラ７５０とを備えていた。
このうち、内リンクプレート７１０は、左右一対に配設されていた。
また、外リンクプレート７２０は、一対の内リンクプレート７１０の左右方向外側に一対配設されていた。
さらに、ブシュ（図示せず）は、左右一方の内リンクプレート７１０Ａと左右他方の内リンクプレート７１０Ｂと繋いでいた。
また、連結ピン７４０は、左右一方の外リンクプレート７２０Ａと左右他方の外リンクプレート７２０Ｂと繋ぐとともに、ブシュに挿通されて内リンクプレート７１０と外リンクプレート７２０とを連結していた。
さらに、ローラ７５０は、ブシュの外周に回転自在に配設されていた。
【０００４】
また、左右一方の内リンクプレート７１０Ａの左右外側には、取付部７１３が溶接で取り付けられており、この取付部７１３は、板状のスラットＴを取付自在に設けられていた。
同様に、左右一方の外リンクプレート７２０Ａの左右外側には、取付部７２３が溶接で取り付けられており、この取付部７２３は、板状のスラットＴを取付自在に設けられていた。
さらに、アタッチメント７６０が、左右一方の内リンクプレート７１０Ａの左右外側および左右一方の外リンクプレート７２０Ａの左右外側のそれぞれに溶接で取り付けられていた。
【０００５】
そして、コンベヤチェーン７００の直線姿勢（図６（Ｂ）参照）では、アタッチメント７６０が、チェーン長手方向隣のリンクプレートの取付部７１３（７２３）に取り付けられたスラットＴのステーＴ１と当接し、コンベヤチェーン７００の屈曲姿勢（図示せず）になる際、アタッチメント７６０が、チェーン長手方向隣のリンクプレートの取付部７１３（７２３）に取り付けられたスラットＴのステーＴ１から離間する構成だった。
【先行技術文献】
【特許文献】
【０００６】
【特許文献１】実登３００５４４７号公報
【特許文献２】実開平３−１０５１９１号公報
【特許文献３】実昭６１−１０８２８７号公報
【発明の概要】
【発明が解決しようとする課題】
【０００７】
しかしながら、上述した従来のコンベヤチェーン７００は、コンベヤチェーン７００の直線姿勢（図６（Ｂ）参照）のとき、チェーンの左右片側のみでアタッチメント７６０が、チェーン長手方向隣のリンクプレートの取付部７１３（７２３）に取り付けられたスラットＴのステーＴ１と当接する構造であったため、スラットＴの影響を受けてコンベヤチェーン７００の直線姿勢の精度が安定しないという問題や、スラットＴを取り付けるまでノーバックベンド機構が作用するか否か分からないという問題や、スラットＴの強度およびアタッチメント７６０の強度の影響を受けてノーバックベンドで許容される荷重である耐荷重が十分でないという問題や、チェーンの左右片側のみで荷重を受けてコンベヤチェーン７００が捩れるという問題があった。
【０００８】
そこで、本発明は、前述したような従来技術の問題を解決するものであって、すなわち、本発明の目的は、従来の構成と比べてコンベヤチェーンの直線姿勢の精度を高め、コンベヤ組立前の段階でコンベヤチェーン自体でノーバックベンドの作用の可否を確認し、従来の構成と比べてノーバックベンドで許容される荷重である耐荷重を高めるとともに、コンベヤチェーンが捩れることを防止するコンベヤチェーンを提供することである。
【課題を解決するための手段】
【０００９】
本請求項１に係る発明は、搬送方向に対する幅方向に離間配置した左右一対の内リンクプレートと、該内リンクプレートのブシュ孔にブシュ端部側を圧入するブシュと、前記左右一対の内リンクプレートの両外側にそれぞれ配設する左右一対の外リンクプレートと、前記ブシュに回転自在に挿通して外リンクプレートのピン孔にピン端部側を圧入する連結ピンとを備え、前記内リンクプレートと外リンクプレートとを連結ピンでチェーン長手方向に多数連結してなり搬送物を搬送方向へ搬送するコンベヤチェーンにおいて、前記左右一対の内リンクプレートの前記両外側に配置され内リンクプレートと一体に取り付けられた屈曲規制プレートが、前記チェーン長手方向に延び、前記外リンクプレートのチェーン長手方向両端に配設された屈曲規制当接部が、前記屈曲規制プレートと当接自在に設けられ、前記コンベヤチェーンの直線姿勢に変化したとき、前記内リンクプレートのチェーン長手方向両隣でそれぞれ連結する外リンクプレートの屈曲規制当接部が、該内リンクプレートのチェーン長手方向一端側の連結ピンと他端側の連結ピンとを結ぶ基準線よりチェーン外周側で屈曲規制プレートに対してチェーン長手方向両側から当接し、前記コンベヤチェーンの屈曲姿勢に変化する際、前記内リンクプレートのチェーン長手方向両隣でそれぞれ連結する外リンクプレートの屈曲規制当接部が、前記チェーン外周側へ揺動して前記基準線よりチェーン外周側で屈曲規制プレートに対してチェーン長手方向にも離間する構成であることにより、前述した課題を解決するものである。
【００１０】
本請求項２に係る発明は、請求項１に記載されたコンベヤチェーンの構成に加えて、前記左右一対の内リンクプレートの前記両外側に配設された屈曲規制プレートの少なくとも左右一方が、取付穴を有して搬送物を載置する搬送用部材を取付自在に構成されていることにより、前述した課題をさらに解決するものである。
【００１１】
本請求項３に係る発明は、請求項１または請求項２に記載されたコンベヤチェーンの構成に加えて、前記コンベヤチェーンの直線姿勢のとき、前記屈曲規制当接部が、前記屈曲規制プレートと面接触し、前記屈曲規制当接部と屈曲規制プレートとの接触面が、前記チェーン長手方向を向いていることにより、前述した課題をさらに解決するものである。
【発明の効果】
【００１２】
本発明のコンベヤチェーンは、搬送方向に対する幅方向に離間配置した左右一対の内リンクプレートと、この内リンクプレートのブシュ孔にブシュ端部側を圧入するブシュと、左右一対の内リンクプレートの両外側にそれぞれ配設する左右一対の外リンクプレートと、ブシュに回転自在に挿通して外リンクプレートのピン孔にピン端部側を圧入する連結ピンとを備え、内リンクプレートと外リンクプレートとを連結ピンでチェーン長手方向に多数連結してなることにより、搬送物を搬送方向へ搬送することができるばかりでなく、以下のような特有の効果を奏することができる。
【００１３】
本請求項１に係る発明のコンベヤチェーンによれば、左右一対の内リンクプレートの両外側に配置され内リンクプレートと一体に取り付けられた屈曲規制プレートが、チェーン長手方向に延び、外リンクプレートのチェーン長手方向両端に配設された屈曲規制当接部が、屈曲規制プレートと当接自在に設けられ、コンベヤチェーンの直線姿勢に変化したとき、内リンクプレートのチェーン長手方向両隣でそれぞれ連結する外リンクプレートの屈曲規制当接部が、この内リンクプレートのチェーン長手方向一端側の連結ピンと他端側の連結ピンとを結ぶ基準線よりチェーン外周側で屈曲規制プレートに対してチェーン長手方向両側から当接し、コンベヤチェーンの屈曲姿勢に変化する際、内リンクプレートのチェーン長手方向両隣でそれぞれ連結する外リンクプレートの屈曲規制当接部が、チェーン外周側へ揺動して基準線よりチェーン外周側で屈曲規制プレートに対してチェーン長手方向にも離間する構成であることにより、コンベヤチェーンの直線姿勢のとき、１つの剛体の屈曲規制プレートがチェーン長手方向両側から２つの屈曲規制当接部で挟まれて１つの内リンクプレートとこの両側の外リンクプレートとの相対的な姿勢が決まるため、従来の構成と比べて、コンベヤチェーンの直線姿勢の精度を高めることができる。
【００１４】
さらに、内リンクプレートと一体に取り付けられている屈曲規制プレートと、外リンクプレートの屈曲規制当接部とが当接するため、コンベヤ組立前の段階でコンベヤチェーン自体で一方への屈曲規制である所謂、ノーバックベンドの作用の可否を確認できる。
また、屈曲規制プレートが１つの剛体であるため、従来の構成と比べて、ノーバックベンドで許容される荷重である耐荷重を高めることができる。
さらに、コンベヤチェーンの直線姿勢のとき左右両側で屈曲規制当接部が屈曲規制プレートと当接し、この当接状態が左右対称になるため、コンベヤチェーンが捩れることを防止できる。
また、左右一対の内リンクプレートの両外側に屈曲規制プレートを配設するだけでノーバックベンド機構が構成されるため、従来の構成と比べて、構造を簡素化できる。
【００１５】
本請求項２に係る発明のコンベヤチェーンによれば、請求項１に係る発明が奏する効果に加えて、左右一対の内リンクプレートの両外側に配設された屈曲規制プレートの少なくとも左右一方が、取付穴を有して搬送物を載置する搬送用部材を取付自在に構成されていることにより、屈曲規制プレートが搬送用部材を取り付けるアタッチメントを兼ねるため、その分部品点数を低減できる。
【００１６】
本請求項３に係る発明のコンベヤチェーンによれば、請求項１または請求項２に係る発明が奏する効果に加えて、コンベヤチェーンの直線姿勢のとき、屈曲規制当接部が、屈曲規制プレートと面接触し、屈曲規制当接部と屈曲規制プレートとの接触面が、チェーン長手方向を向いていることにより、荷重が接触面の法線方向に作用し、１つの屈曲規制プレートではチェーン長手方向両側から対向する向きで荷重が作用して相殺されるため、ノーバックベンドで許容される荷重である耐荷重をより高めることができる。
さらに、１つの屈曲規制プレートではチェーン長手方向両側から対向する向きで荷重が作用して相殺されて余分な方向に力が作用しないため、コンベヤチェーンが捩れることを確実に防止できる。
【図面の簡単な説明】
【００１７】
【図１】本発明の実施例であるコンベヤチェーンを用いたスラットコンベヤの概略斜視図。
【図２】図１に示す符号２から視たコンベヤチェーンのみを示す斜視図。
【図３】（Ａ）は図２に示す符号３Ａで視たコンベヤチェーンの平面図、（Ｂ）は（Ａ）に示す符号３Ｂ−３Ｂで視た断面図。
【図４】（Ａ）は図３（Ａ）に示す符号４Ａで視たコンベヤチェーンの側面図、（Ｂ）は図３（Ａ）に示す符号４Ｂで視た側面図。
【図５】（Ａ）は図４（Ａ）の直線姿勢から屈曲姿勢に変化したコンベヤチェーンの側面図、（Ｂ）は図４（Ｂ）の直線姿勢から屈曲姿勢に変化したコンベヤチェーンの側面図。
【図６】（Ａ）は従来技術のコンベヤチェーンを示す平面図、（Ｂ）は（Ａ）に示す符号６Ｂから視た側面図。
【発明を実施するための形態】
【００１８】
本発明は、搬送方向に対する幅方向に離間配置した左右一対の内リンクプレートと、この内リンクプレートのブシュ孔にブシュ端部側を圧入するブシュと、左右一対の内リンクプレートの両外側にそれぞれ配設する左右一対の外リンクプレートと、ブシュに回転自在に挿通して外リンクプレートのピン孔にピン端部側を圧入する連結ピンとを備え、内リンクプレートと外リンクプレートとを連結ピンでチェーン長手方向に多数連結してなり搬送物を搬送方向へ搬送するコンベヤチェーンにおいて、左右一対の内リンクプレートの両外側に配置され内リンクプレートと一体に取り付けられた屈曲規制プレートが、チェーン長手方向に延び、外リンクプレートのチェーン長手方向両端に配設された屈曲規制当接部が、屈曲規制プレートと当接自在に設けられ、コンベヤチェーンの直線姿勢に変化したとき、内リンクプレートのチェーン長手方向両隣でそれぞれ連結する外リンクプレートの屈曲規制当接部が、この内リンクプレートのチェーン長手方向一端側の連結ピンと他端側の連結ピンとを結ぶ基準線よりチェーン外周側で屈曲規制プレートに対してチェーン長手方向両側から当接し、コンベヤチェーンの屈曲姿勢に変化する際、内リンクプレートのチェーン長手方向両隣でそれぞれ連結する外リンクプレートの屈曲規制当接部が、チェーン外周側へ揺動して基準線よりチェーン外周側で屈曲規制プレートに対してチェーン長手方向にも離間する構成であることにより、従来の構成と比べてコンベヤチェーンの直線姿勢の精度が高まり、コンベヤ組立前の段階でノーバックベンドの作用の可否を確認し、従来の構成と比べてノーバックベンドで許容される荷重である耐荷重が高まり、コンベヤチェーンが捩れることを防止するものであれば、その具体的な実施態様は、如何なるものであっても構わない。
【００１９】
例えば、コンベヤチェーンは、ブシュの外周にローラを有するものでよく、有さないものでもよい。
コンベヤチェーンの材質は、ステンレスなどの金属でもよいし、強化プラスチックなどの樹脂でもよい。
【実施例】
【００２０】
以下に、本発明の実施例であるコンベヤチェーン１００について、図１乃至図５（Ｂ）に基づいて説明する。
本発明の実施例であるコンベヤチェーン１００を用いたスラットコンベヤＣは、図１に示すように、搬送物Ｍを、周回するコンベヤ送り方向Ｐのうちの片側での方向である搬送方向Ｐ１へ搬送するように構成されている。
【００２１】
具体的に、スラットコンベヤＣは、駆動スプロケットＳ１と、従動スプロケットＳ２と、左右一対のコンベヤチェーン１００と、板状のスラットＴとを備えている。
コンベヤチェーン１００は、スラットコンベヤＣの左右両側それぞれで駆動スプロケットＳ１と従動スプロケットＳ２とに掛け回されている。
スラットＴは、左右方向に延設されているとともにコンベヤ送り方向Ｐに多数並設され、それぞれのスラットＴの両端が、左右一対のコンベヤチェーン１００に取り付けられている。
【００２２】
続いて、コンベヤチェーン１００について詳しく説明する。
左右一対のコンベヤチェーン１００は、左右対称であるため、本明細書では、一方のコンベヤチェーン１００についてのみ説明し、他方についての説明を省略する。
本発明の実施例であるコンベヤチェーン１００は、図２乃至図５（Ｂ）に示すように、搬送方向Ｐ１に対する幅方向に離間配置した左右一対の内リンクプレート１１０と、この内リンクプレート１１０のブシュ孔１１１にブシュ端部側を圧入するブシュ１３０と、左右一対の内リンクプレート１１０の両外側にそれぞれ配設する左右一対の外リンクプレート１２０と、ブシュ１３０に回転自在に挿通して外リンクプレート１２０のピン孔１２１にピン端部側を圧入する連結ピン１４０とを備えている。
【００２３】
そして、内リンクプレート１１０と外リンクプレート１２０とを連結ピン１４０でチェーン長手方向Ｑに多数連結して構成されている。
さらに、左右一対の内リンクプレート１１０の両外側に配置され内リンクプレート１１０と一体に取り付けられた屈曲規制プレート１１２が、チェーン長手方向Ｑに延びている。
また、外リンクプレート１２０のチェーン長手方向両端に配設された屈曲規制当接部１２２が、屈曲規制プレート１１２と当接自在に設けられている。
【００２４】
そして、コンベヤチェーン１００の直線姿勢に変化したとき、内リンクプレート１１０のチェーン長手方向両隣でそれぞれ連結する外リンクプレート１２０の屈曲規制当接部１２２が、この内リンクプレート１１０のチェーン長手方向一端側の連結ピン１４０と他端側の連結ピン１４０とを結ぶ基準線Ｎよりチェーン外周側で屈曲規制プレート１１２に対してチェーン長手方向両側から当接するように構成されている。
また、コンベヤチェーン１００の屈曲姿勢に変化する際、内リンクプレート１１０のチェーン長手方向両隣でそれぞれ連結する外リンクプレート１２０の屈曲規制当接部１２２が、チェーン外周側へ揺動して基準線Ｎよりチェーン外周側で屈曲規制プレート１１２に対してチェーン長手方向Ｑにも離間するように構成されている。
【００２５】
これにより、コンベヤチェーン１００の直線姿勢のとき、１つの剛体の屈曲規制プレート１１２がチェーン長手方向両側から２つの屈曲規制当接部１２２で挟まれて１つの内リンクプレート１１０とこの両側の外リンクプレート１２０との相対的な姿勢が決まる。
つまり、左右一対の内リンクプレート１１０の両外側に屈曲規制プレート１１２を配設するだけでノーバックベンド機構が構成される。
さらに、コンベヤ組立前の段階で、内リンクプレート１１０と一体に取り付けられている屈曲規制プレート１１２と、外リンクプレート１２０の屈曲規制当接部１２２とが当接する。
また、屈曲規制プレート１１２が１つの剛体である。
さらに、コンベヤチェーン１００の直線姿勢のとき左右両側で屈曲規制当接部１２２が屈曲規制プレート１１２と当接し当接状態が左右対称になる。
【００２６】
具体的に、屈曲規制プレート１１２は、左右一対の内リンクプレート１１０の両外側に溶接によって内リンクプレート１１０と一体に取り付けられている。
このうち、左右一方の内リンクプレート１１０Ａに取り付けられた左右一方の屈曲規制プレート１１２Ａは、チェーン長手方向Ｑから視た断面がＬ字型となるように形成されている（特に図３（Ｂ）参照）。
さらに、左右一方の屈曲規制プレート１１２Ａは、取付穴１１２Ａａを有して搬送物Ｍを載置する搬送用部材である板状のスラットＴを取付自在に構成されている。
これにより、左右一方の屈曲規制プレート１１２ＡがスラットＴを取り付けるアタッチメントを兼ねる。
さらに、コンベヤチェーン１００の直線姿勢のときにスラットＴに対して直接的にバックベンドを規制する荷重が作用しない。
【００２７】
また、左右一方の外リンクプレート１２０Ａの外側に、スラットＴを取り付ける取付部１２３が、溶接によって一体に取り付けられている。
この左右一方の外リンクプレート１２０Ａの外側の取付部１２３は、取付穴１２３ａを有してスラットＴを取付自在に構成されている。
左右他方の内リンクプレート１１０Ｂに取り付けられた左右他方の屈曲規制プレート１１２Ｂは、チェーン長手方向Ｑから視た断面がＩ字型となるように形成されている（特に図３（Ｂ）参照）。
【００２８】
そして、図４（Ａ）および図４（Ｂ）に示すように、コンベヤチェーン１００の直線姿勢のとき、左右一方の内リンクプレート１１０Ａと一体の左右一方の屈曲規制プレート１１２Ａでのチェーン長手方向両端が、この左右一方の内リンクプレート１１０Ａとチェーン長手方向両隣で連結する左右一方の外リンクプレート１２０Ａの屈曲規制当接部１２２Ａとそれぞれ当接している。
つまり、１つの左右一方の屈曲規制プレート１１２Ａが、チェーン長手方向両隣の２つの左右一方の外リンクプレート１２０Ａの屈曲規制当接部１２２Ａに挟まれるように２つの左右一方の外リンクプレート１２０Ａの屈曲規制当接部１２２Ａと当接している。
【００２９】
同様に、左右他方の内リンクプレート１１０Ｂと一体の左右他方の屈曲規制プレート１１２Ｂでのチェーン長手方向両端が、この左右他方の内リンクプレート１１０Ｂとチェーン長手方向両隣で連結する左右他方の外リンクプレート１２０Ｂの屈曲規制当接部１２２Ｂとそれぞれ当接している。
つまり、１つの左右他方の屈曲規制プレート１１２Ｂが、チェーン長手方向両隣の２つの左右他方の外リンクプレート１２０Ｂの屈曲規制当接部１２２Ｂに挟まれるように２つの左右他方の外リンクプレート１２０Ｂの屈曲規制当接部１２２Ｂと当接している。
これにより、前述したように、１つの内リンクプレート１１０とチェーン長手方向両隣の２つの外リンクプレート１２０との相対的な姿勢が決まる。
【００３０】
そして、コンベヤチェーン１００の直線姿勢の状態から、図５（Ａ）および図５（Ｂ）に示すように、コンベヤチェーン１００の屈曲姿勢になる際、左右一方の内リンクプレート１１０Ａと一体の左右一方の屈曲規制プレート１１２Ａでのチェーン長手方向両端に対して、この左右一方の内リンクプレート１１２Ａとチェーン長手方向両隣で連結する左右一方の外リンクプレート１２０Ａの屈曲規制当接部１２２Ａが、それぞれ離間する。
同様に、左右他方の内リンクプレート１１０Ｂと一体の左右他方の屈曲規制プレート１１２Ｂでのチェーン長手方向両端に対して、この左右他方の内リンクプレート１１２Ｂとチェーン長手方向両隣で連結する左右他方の外リンクプレート１２０Ｂの屈曲規制当接部１２２Ｂが、それぞれ離間する。
【００３１】
また、コンベヤチェーン１００の屈曲姿勢の状態から、コンベヤチェーン１００の直線姿勢に戻る際、左右一方の内リンクプレート１１０Ａと一体の左右一方の屈曲規制プレート１１２Ａでのチェーン長手方向両端に対して、この左右一方の内リンクプレート１１０Ａとチェーン長手方向両隣で連結する左右一方の外リンクプレート１２０Ａの屈曲規制当接部１２２Ａが、それぞれ接近する。
同様に、左右他方の内リンクプレート１１０Ｂと一体の左右他方の屈曲規制プレート１１２Ｂでのチェーン長手方向両端に対して、この左右他方の内リンクプレート１１０Ｂとチェーン長手方向両隣で連結する左右他方の外リンクプレート１２０Ｂの屈曲規制当接部１２２Ｂが、それぞれ接近する。
【００３２】
そして、図４（Ａ）および図４（Ｂ）に示すように、左右一方の屈曲規制プレート１１２Ａでのチェーン長手方向両端が、チェーン長手方向両隣の左右一方の外リンクプレート１２０Ａの屈曲規制当接部１２２Ａと当接する。
同様に、左右他方の屈曲規制プレート１１２Ｂでのチェーン長手方向両端が、チェーン長手方向両隣の左右他方の外リンクプレート１２０Ｂの屈曲規制当接部１２２Ｂと当接する。
【００３３】
さらに、本実施例では、コンベヤチェーン１００の直線姿勢のとき、屈曲規制当接部１２２が、屈曲規制プレート１１２と面接触し、屈曲規制当接部１２２と屈曲規制プレート１１２との接触面Ｕが、チェーン長手方向Ｑを向いている。
これにより、荷重が接触面Ｕの法線方向に作用し、１つの屈曲規制プレート１１２ではチェーン長手方向両側から対向する向きで荷重が作用して相殺される。
さらに、１つの屈曲規制プレート１１２ではチェーン長手方向両側から対向する向きで荷重が作用して相殺されて余分な方向に力が作用しない。
【００３４】
なお、本実施例では、ローラ１５０が、ブシュ１３０の外周に回動自在に配設されている。
また、左右他方の外リンクプレート１２０Ｂには、コンベヤチェーン１００のコンベヤ送り方向Ｐへの直進性を向上させるガイドローラ１２４が回動自在に取り付けられている。
【００３５】
このようにして得られた本発明の実施例であるコンベヤチェーン１００は、左右一対の内リンクプレート１１０の両外側に配置され内リンクプレート１１０と一体に取り付けられた屈曲規制プレート１１２が、チェーン長手方向Ｑに延び、外リンクプレート１２０のチェーン長手方向両端に配設された屈曲規制当接部１２２が、屈曲規制プレート１１２と当接自在に設けられ、コンベヤチェーン１００の直線姿勢に変化したとき、内リンクプレート１１０のチェーン長手方向両隣でそれぞれ連結する外リンクプレート１２０の屈曲規制当接部１２２が、この内リンクプレート１１０のチェーン長手方向一端側の連結ピン１４０と他端側の連結ピン１４０とを結ぶ基準線Ｎよりチェーン外周側で屈曲規制プレート１１２に対してチェーン長手方向両側から当接し、コンベヤチェーン１００の屈曲姿勢に変化する際、内リンクプレート１１０のチェーン長手方向両隣でそれぞれ連結する外リンクプレート１２０の屈曲規制当接部１２２が、チェーン外周側へ揺動して基準線Ｎよりチェーン外周側で屈曲規制プレート１１２に対してチェーン長手方向Ｑにも離間する構成であることにより、従来の構成と比べてコンベヤチェーン１００の直線姿勢の精度を高めることができ、コンベヤ組立前の段階でコンベヤチェーン１００自体で一方への屈曲規制である所謂、ノーバックベンドの作用の可否を確認でき、さらに、従来の構成と比べて、ノーバックベンドで許容される荷重である耐荷重を高めることができるとともに、コンベヤチェーン１００が捩れることを防止できる。
【００３６】
さらに、左右一対の内リンクプレート１１０の両外側に配設された屈曲規制プレート１１２の少なくとも左右一方である左右一方の屈曲規制プレート１１２Ａが、取付穴１１２Ａａを有して搬送物Ｍを載置する搬送用部材であるスラットＴを取付自在に構成されていることにより、アタッチメントを兼ねる分だけ部品点数を低減できる。
【００３７】
さらに、コンベヤチェーン１００の直線姿勢のとき、屈曲規制当接部１２２が、屈曲規制プレート１１２と面接触し、屈曲規制当接部１２２と屈曲規制プレート１１２との接触面Ｕが、チェーン長手方向Ｑを向いていることにより、ノーバックベンドで許容される荷重である耐荷重をより高めることができるとともに、コンベヤチェーン１００が捩れることを確実に防止できるなど、その効果は甚大である。
【符号の説明】
【００３８】
１００、  ７００  ・・・  コンベヤチェーン
１１０、  ７１０  ・・・  内リンクプレート
１１０Ａ、７１０Ａ・・・  左右一方の内リンクプレート
１１０Ｂ、７１０Ｂ・・・  左右他方の内リンクプレート
１１１            ・・・  ブシュ孔
１１２            ・・・  屈曲規制プレート
１１２Ａ          ・・・  左右一方の屈曲規制プレート
１１２Ａａ        ・・・  取付穴
１１２Ｂ          ・・・  左右他方の屈曲規制プレート
７１３  ・・・  取付部
１２０、  ７２０  ・・・  外リンクプレート
１２０Ａ、７２０Ａ・・・  左右一方の外リンクプレート
１２０Ｂ、７２０Ｂ・・・  左右他方の外リンクプレート
１２１            ・・・  ピン孔
１２２            ・・・  屈曲規制当接部
１２２Ａ          ・・・  （左右一方の）屈曲規制当接部
１２２Ｂ          ・・・  （左右他方の）屈曲規制当接部
１２３、  ７２３  ・・・  取付部
１２３ａ          ・・・  取付穴
１２４            ・・・  ガイドローラ
１３０            ・・・  ブシュ
１４０、  ７４０  ・・・  連結ピン
１５０、  ７５０  ・・・  ローラ
７６０  ・・・  アタッチメント
Ｃ                ・・・  スラットコンベヤ
Ｍ                ・・・  搬送物
Ｎ                ・・・  基準線
Ｐ                ・・・  コンベヤ送り方向
Ｐ１              ・・・  搬送方向
Ｑ                ・・・  チェーン長手方向
Ｓ１              ・・・  駆動スプロケット
Ｓ２              ・・・  従動スプロケット
Ｔ                ・・・  スラット（搬送用部材）
Ｔ１              ・・・  （スラットの）ステー
Ｕ                ・・・  接触面
【図１】
2014189404.tif 000003
【図２】
2014189404.tif 000004
【図３】
2014189404.tif 000005
【図４】
2014189404.tif 000006
【図５】
2014189404.tif 000007
【図６】
2014189404.tif 000008